(57)【特許請求の範囲】
【請求項１】
内装(10)と外装(12)との間に発泡断熱材(14)を充填してなる断熱箱体(16)の内部に画成した収納室(20)の下部に、冷却器(24)および庫内ファン(26)が収納される冷却室(28)が画成され、前記冷却器(24)の空気吸込側に配設されたダクト(52,64)の両室(20,28)を仕切ると共に冷蔵品(18)の載置部として機能する上板(52a,64a)に吸込口(52c,64c)が形成され、前記庫内ファン(26)を回転することで、前記吸込口(52c,64c)を介して冷却室(28)に吸込んだ収納室内空気を前記冷却器(24)により熱交換して収納室(20)に循環させるよう構成した貯蔵庫において、
前記内装(10)の幅方向に対向する両側面に内部側へ突出する突部(50,50)を設け、両突部(50,50)に形成されて下方に凹む段部(50a,50a)間に前記ダクト(52,64)の上板(52a,64a)を載置することで、該ダクト(52,64)の幅方向への移動を規制する一方、
前記両突部(50,50)の前部をダクト(52,64)から離間する幅方向の外側に凹設して、前記上板(52a,64a)における幅方向両端部と前記内装(10)の内側面(10a)との間に、前記収納室(20)に連通する空気吸込空間(54)を該上板(52a,64a)より下方に画成すると共に、
前記ダクト(52,64)の前記上板(52a,64a)より下方の幅方向両端部に開口した下部吸込口(56)が、前記空気吸込空間(54)と前記冷却室(28)とを連通するよう構成した
ことを特徴とする貯蔵庫。
【請求項２】
前記内装(10)における各内側面(10a)の前端部は、前記収納室(20)の前方に向かうにつれてダクト(52,64)の幅方向端部から離間するよう傾斜され、該ダクト(52,64)の幅方向の両端部外側に前記空気吸込空間(54)を確保する請求項１記載の貯蔵庫。
【請求項３】
内装(10)と外装(12)との間に発泡断熱材(14)を充填してなる断熱箱体(16)の内部に画成した収納室(20)の下部に、冷却器(24)および庫内ファン(26)が収納される冷却室(28)が画成され、前記冷却器(24)の空気吸込側に配設されたダクト(52,64)の両室(20,28)を仕切ると共に冷蔵品(18)の載置部として機能する上板(52a,64a)に吸込口(52c,64c)が形成され、前記庫内ファン(26)を回転することで、前記吸込口(52c,64c)を介して冷却室(28)に吸込んだ収納室内空気を前記冷却器(24)により熱交換して収納室(20)に循環させるよう構成した貯蔵庫において、
前記ダクト(52,64)の上板(52a,64a)における幅方向両端部と前記内装(10)の内側面(10a)との間に、前記収納室(20)に連通する空気吸込空間(54)を該上板(52a,64a)より下方に画成すると共に、
前記ダクト(52,64)の前記上板(52a,64a)より下方の幅方向両端部に開口した下部吸込口(56)が、前記空気吸込空間(54)と前記冷却室(28)とを連通するようにし、
前記内装(10)における各内側面(10a)の前端部は、前記収納室(20)の前方に向かうにつれてダクト(52,64)の幅方向端部から離間するよう傾斜され、該ダクト(52,64)の幅方向の両端部外側に前記空気吸込空間(54)を確保するよう構成した
こと特徴とする貯蔵庫。
【発明の詳細な説明】
【０００１】
【発明の属する技術分野】
この発明は、冷蔵庫や冷凍ショーケース等の貯蔵庫に関し、更に詳細には、冷蔵品を収納する収納室内を効率的に冷却し得る貯蔵庫に関するものである。
【０００２】
【従来の技術】
食料品店やコンビニエンスストア等では、食品や飲料品等を冷蔵状態で収納して陳列する冷蔵ショーケース(貯蔵庫)が好適に使用されている。この冷蔵ショーケースは、図６に示す如く、内装１０と外装１２との間にウレタン等の発泡断熱材１４を充填してなる断熱箱体１６の内部に、食品や飲料品等の冷蔵品１８の収納室２０が画成されると共に、該収納室２０の底部をなす仕切部材２２の下方に、冷却器２４や庫内ファン２６が収納される冷却室２８が画成される。また冷却室２８の前部にダクト３０が配設され、該ダクト３０の上板３０ａに形成した複数の吸込口３０ｂを介して収納室２０内の空気が冷却室２８に吸込まれるよう構成される。そして、庫内ファン２６を回転することにより、ダクト３０の吸込口３０ｂから冷却室２８に吸込んだ室内空気を、前記冷却器２４に接触して冷気とした後、前記仕切部材２２の後部と内装１０との間に画成された吹出口３２を介して収納室２０に吹出して該収納室２０を冷却するようになっている。
【０００３】
【発明が解決しようとする課題】
前記仕切部材２２およびダクト３０は、前記冷蔵品１８の載置部としても機能しているため、図６に示すように、ダクト３０の上板３０ａ上における幅方向の全体に冷蔵品１８を載置した場合、前記吸込口３０ｂの大部分が該冷蔵品１８で塞がれてしまう。すなわち、前記冷却器２４で熱交換された冷気の循環が良好に行なわれず、収納室２０の内部温度を設定温度まで冷却するのに時間が掛かると共に、室内全体を均一に冷却し得なくなる不都合を生ずる。なお、冷却器２４に冷媒を循環供給する冷凍装置の能力を上げることで前記問題には対処し得るが、この場合は装置自体が高価になると共にランニングコストが嵩む難点を招くこととなる。
【０００４】
【発明の目的】
この発明は、前述した従来の技術に内在している前記課題に鑑み、これを好適に解決するべく提案されたものであって、ダクトにおける上板の全体に亘って冷蔵品が載置された場合であっても、冷気循環を効率的に行なって収納室内を短時間で均一に冷却し得る貯蔵庫を提供することを目的とする。
【０００５】
【課題を解決するための手段】
前記課題を克服し、所期の目的を達成するため、本発明に係る貯蔵庫は、
内装と外装との間に発泡断熱材を充填してなる断熱箱体の内部に画成した収納室の下部に、冷却器および庫内ファンが収納される冷却室が画成され、前記冷却器の空気吸込側に配設されたダクトの両室を仕切ると共に冷蔵品の載置部として機能する上板に吸込口が形成され、前記庫内ファンを回転することで、前記吸込口を介して冷却室に吸込んだ収納室内空気を前記冷却器により熱交換して収納室に循環させるよう構成した貯蔵庫において、
前記内装の幅方向に対向する両側面に内部側へ突出する突部を設け、両突部に形成されて下方に凹む段部間に前記ダクトの上板を載置することで、該ダクトの幅方向への移動を規制する一方、
前記両突部の前部をダクトから離間する幅方向の外側に凹設して、前記上板における幅方向両端部と前記内装の内側面との間に、前記収納室に連通する空気吸込空間を該上板より下方に画成すると共に、
前記ダクトの前記上板より下方の幅方向両端部に開口した下部吸込口が、前記空気吸込空間と前記冷却室とを連通するよう構成したことを特徴とする。
同じく前記課題を克服し、所期の目的を達成するため、本願の別の発明に係る貯蔵庫は、
内装と外装との間に発泡断熱材を充填してなる断熱箱体の内部に画成した収納室の下部に、冷却器および庫内ファンが収納される冷却室が画成され、前記冷却器の空気吸込側に配設されたダクトの両室を仕切ると共に冷蔵品の載置部として機能する上板に吸込口が形成され、前記庫内ファンを回転することで、前記吸込口を介して冷却室に吸込んだ収納室内空気を前記冷却器により熱交換して収納室に循環させるよう構成した貯蔵庫において、
前記ダクトの上板における幅方向両端部と前記内装の内側面との間に、前記収納室に連通する空気吸込空間を該上板より下方に画成すると共に、
前記ダクトの前記上板より下方の幅方向両端部に開口した下部吸込口が、前記空気吸込空間と前記冷却室とを連通するようにし、
前記内装における各内側面の前端部は、前記収納室の前方に向かうにつれてダクトの幅方向端部から離間するよう傾斜され、該ダクトの幅方向の両端部外側に前記空気吸込空間を確保するよう構成したこと特徴とする。
【０００６】
【発明の実施の形態】
次に、本発明に係る貯蔵庫につき、好適な実施例を挙げて、添付図面を参照しながら以下説明する。なお実施例では、貯蔵庫として冷蔵ショーケースを挙げて説明するが、冷蔵品を冷蔵するものであれば冷蔵庫等であってもよい。また、図６を参照して従来の技術で説明した既出の同一部材には、同じ符号を付して示すこととする。
【０００７】
図１〜図３に示す如く、実施例に係る冷蔵ショーケース４０は、内装１０と外装１２との間にウレタン等の発泡断熱材１４を充填してなる断熱箱体１６の前部に、前方に開放する矩形状の開口部１６ａが形成される。この開口部１６ａの内周上部および下部には、その幅方向(左右方向)の全長に亘って上レール４２および下レール４４が対応的に配設される。そして、両レール４２,４４間に、前扉４６と後扉４８とが夫々幅方向にスライド自在に支持されて、開口部１６ａを開閉し得るよう構成してある。また断熱箱体１６の内部、すなわち内装１０の内部には、仕切部材２２を挟んで、上方に食品や飲料品等の冷蔵品１８を冷蔵するための収納室２０が画成されると共に、下方に図示しない冷凍機構から冷媒が循環供給される冷却器２４および冷気循環用の庫内ファン２６が配設される冷却室２８が画成される。なお冷却器２４は、冷却室２８内においては、その空気吸込側を前側に向けると共に、空気吹出側を後側に向けた姿勢で配置されると共に、前記庫内ファン２６は、前側から吸込んだ空気(冷気)を後側に向けて吹出すよう設定されている。
【０００８】
前記内装１０の冷却室２８を画成して幅方向に対向する左右の両内側面(内面)１０ａ,１０ａに、図１に示す如く、内部側へ所定長さだけ突出する突部５０,５０が一体的に形成され、両突部５０,５０間に前記仕切部材２２が着脱自在に載置される。なお、各突部５０には、内装１０の内側面１０ａから所定間隔離間した位置から内端までに亘り、仕切部材２２における載置部の厚み寸法と同等の深さで下方に凹む段部５０ａが形成されており、両段部５０ａ,５０ａ間に仕切部材２２が載置されることで、該仕切部材２２の幅方向への移動規制がなされるようになっている。また、仕切部材２２の前端は、図３に示す如く、前記下レール４４の後面(冷却室２８を指向する側)よりも所定長さだけ後側に位置するよう設定されている。
【０００９】
前記仕切部材２２の前端と下レール４４の後面との間には、該仕切部材２２の上面と略同一上面レべルとした状態でダクト５２が配設される。このダクト５２は、図１および図３に示す如く、断熱箱体１６の開口部１６ａと仕切部材２２の前端との間を略覆い得る矩形状の上板５２ａと、該上板５２ａの前端に折曲形成されて下方に延在する前板５２ｂとから基本的に構成される。そして、前板５２ｂの下端を、前記下レール４４の後面に形成した受部４４ａに載置すると共に、上板５２ａの幅方向両端部を、前記突部５０,５０における段部５０ａ,５０ａに載置することで、当該ダクト５２は幅方向への移動を規制された状態で配設される。またダクト５２の上板５２ａには、図１に示すように、複数の吸込口５２ｃが幅方向に略等間隔で穿設されており、前記庫内ファン２６を回転した際には、収納室２０内の空気は、ダクト５２の吸込口５２ｃを介して冷却室２８に流れ込むよう構成される。
【００１０】
前記各突部５０の前部は、図１に示す如く、前記ダクト５２の上板５２ａが載置される領域を確保したもとで、その前端が下レール４４の後面から後方に所定間隔離間した位置に臨むよう設定されて、ダクト５２の幅方向両端部と内装１０の内側面１０ａ,１０ａとの間に、該ダクト５２における上板５２ａの位置から内装１０の内底面までの間に亘って上下方向に延在する空気吸込空間５４を夫々画成するよう構成される。すなわち各空気吸込空間５４は、ダクト５２の幅方向への移動を規制する部分を残して、前記突部５０(内装１０)をダクト５２から離間する方向に凹設することで画成される。またダクト５２は、前記上板５２ａより下方において幅方向の両端部が夫々全面的に開口しており、この下部吸込口５６,５６が、前記空気吸込空間５４,５４を介して収納室２０に連通するよう構成されている。
【００１１】
前記内装１０の内後面１０ｂには、前記冷却室２８および収納室２０に亘って上下方向に延在する吹出口として機能する凹溝５８が形成され、前記庫内ファン２６の後方において、冷却室２８と収納室２０とが該凹溝５８を介して連通するよう構成してある。すなわち、庫内ファン２６を回転した際には、前記冷却器２４と接触して熱交換された冷気は、該凹溝５８を介して収納室２０に吹出されるようになっている。また、前記内装１０における収納室２０に臨む対向する左右の両内側面１０ａ,１０ａには、図２に示す如く、内部側に開放して前後方向に延在する複数の溝部６０が、上下に所定間隔離間して形成されている。そして、この左右に対向する両溝部６０,６０間に、冷蔵品１８を整列載置するための棚網６２が取出し自在に載置される。
【００１２】
【実施例の作用】
次に、実施例に係る冷蔵ショーケースの作用につき説明する。前記内装１０の内側面１０ａ,１０ａに形成した左右に対向する溝部６０,６０間に、前記棚網６２を載置することで、収納室２０内には複数の棚網６２が上下に多段的に配設される。そして、各棚網６２に冷蔵品１８を陳列状態で載置すると共に、前記仕切部材２２およびダクト５２の上板５２ａ上にも冷蔵品１８を陳列状態で載置する。このとき、ダクト５２の幅方向の全体に亘って冷蔵品１８を載置しても、図１に示すように、該ダクト５２の幅方向両端部の外側には、前記収納室２０と連通してダクト５２の上板５２ａよりも下方まで延在する空気吸込空間５４が夫々確保される。
【００１３】
前記庫内ファン２６を回転すると、前記収納室２０の前部側の空気は、前記ダクト５２の上板５２ａに形成した吸込口５２ｃおよび各空気吸込空間５４と連通する下部吸込口５６から冷却室２８に吸込まれる。この空気は、前記冷凍機構により冷却されている冷却器２４に接触して冷却された後、前記凹溝５８を介して収納室２０の後部側に吹出され、各棚網６２、仕切部材２２およびダクト５２に載置されている冷蔵品１８を冷却した後に、再び吸込口５２ｃおよび下部吸込口５６から冷却室２８に吸込まれるよう循環する。
【００１４】
前述したように、ダクト５２の幅方向の両端部外側には、冷却室２８と収納室２０とを連通するための空気吸込空間５４,５４が確保されているから、前記吸込口５２ｃの大部分が冷蔵品１８で塞がれている場合であっても、冷却室２８への空気吸込量は、該空気吸込空間５４,５４に連通する下部吸込口５６,５６により充分に確保することができ、収納室２０の全体を効率的かつ均一に冷却し得る。
【００１５】
【別実施例】
図４および図５は、別実施例に係る冷蔵ショーケースを示すものであって、基本的な構成は前述した実施例と同様であるから、主として異なる部分についてのみ説明することとする。
【００１６】
別実施例のダクト６４は、側断面図において下方に開放する略コ字状に成形された合成樹脂製品であって、その上板６４ａには、複数の吸込口６４ｃが形成されており、前記庫内ファン２６を回転した際には、収納室２０内の空気は、ダクト６４の吸込口６４ａを介して冷却室２８に流れ込むよう構成される。上板６４ａの前端に折曲形成されて下方に延在する前板６４ｂは、図５に示す如く、内装１０の内底面近傍まで垂下し、前記下レール４４より後方の内底面に設けられた受部６６に載置保持されるようになっている。なお、上板６４ａの幅方向両端部は、内装１０に突設されている前記突部５０,５０における段部５０ａ,５０ａに載置される。
【００１７】
前記各突部５０の前部は、図４に示す如く、前記ダクト６４の上板６４ａが載置される領域を確保したもとで、その前端が該ダクト６４の前板６４ｂの後面から後方に所定間隔離間した位置に臨むよう設定されて、ダクト６４の幅方向両端部と内装１０の内側面１０ａ,１０ａとの間に、該ダクト６４における上板６４ａの位置から内装１０の内底面までの間に亘って上下方向に延在する空気吸込空間５４を夫々画成するよう構成される。そして両空気吸込空間５４,５４を介して、ダクト６４の幅方向両端部に画成される下部吸込口５６,５６が収納室２０に連通するようになっている。なお別実施例では、内装１０における各内側面１０ａの前端部は、開口部１６ａに向かうにつれてダクト６４の幅方向端部から離間するよう傾斜され、ダクト６４の側方に充分な空気吸込空間５４を確保してある。
【００１８】
また別実施例では、前記仕切部材２２の後部に、冷却室２８と収納室２０とを連通する複数の吹出口２２ａが形成されており、庫内ファン２６を回転した際には、前記冷却器２４と接触して熱交換された冷気は、該吹出口２２ａを介して収納室２０に吹出されるようになっている。
【００１９】
すなわち別実施例においても、ダクト６４の幅方向の両端部外側には、冷却室２８と収納室２０とを連通するための空気吸込空間５４,５４が確保されているから、前記吸込口６４ｃの大部分が冷蔵品１８で塞がれている場合であっても、冷却室２８への空気吸込量は、該空気吸込空間５４,５４に連通する下部吸込口５６,５６により充分に確保することができ、収納室２０の全体を効率的かつ均一に冷却し得る。
【００２０】
【発明の効果】
以上説明した如く、本発明に係る貯蔵庫によれば、ダクトの吸込口が形成される上板より下方外側に、収納室と冷却室とを連通する空気吸込空間を画成したので、冷蔵品を該ダクトの上板に載置した場合であっても、冷却室への空気吸込量、すなわち収納室内の冷気の充分な循環量を確保することができ、収納室の全体を効率的かつ均一に冷却することができる。また、冷却室への空気吸込量を確保するための下部吸込口は上板より下方に設けているから、冷蔵品のダクトへの載置量等に影響を与えることはない。
【００２１】
更に、ダクトの幅方向両端外側に空気吸込空間を夫々画成したことで、収納室の幅方向両側に冷気の流れができ、冷却され難い前部両側に収納されている冷蔵品を効率的に冷却することができ、冷蔵品の冷却ムラを解消し得る。また、空気吸込空間を画成してもダクトの幅方向への移動を内装により規制するよう構成してあるから、輸送中等に該ダクトが位置ずれするのを防止し得る。
【図面の簡単な説明】
【図１】  本発明の実施例に係る冷蔵ショーケースを示す横断平面図である。
【図２】  実施例の冷蔵ショーケースを一部縦断して示す側面図である。
【図３】  実施例の冷蔵ショーケースを示す要部縦断側面図である。
【図４】  別実施例に係る冷蔵ショーケースを示す横断平面図である。
【図５】  別実施例の冷蔵ショーケースを示す要部縦断側面図である。
【図６】  従来の技術に係る冷蔵ショーケースを示す横断平面図である。
【符号の説明】
１０ 内装，１０ａ 内側面，１２ 外装，１４ 発泡断熱材，１８ 冷蔵品
１６ 断熱箱体，２０ 収納室，２４ 冷却器，２６ 庫内ファン，２８ 冷却室
５０ 突部，５０ａ 段部，５２ ダクト，５２ａ 上板，５２ｃ 吸込口
５４ 空気吸込空間，５６ 下部吸込口，６４ ダクト，６４ａ 上板
６４ｃ 吸込口
【図１】
0003927361.tif 000002
【図２】
0003927361.tif 000003
【図３】
0003927361.tif 000004
【図４】
0003927361.tif 000005
【図５】
0003927361.tif 000006
【図６】
0003927361.tif 000007